(57)【特許請求の範囲】
【請求項１】
複数の伝送用入力方路と、
一つの接続用入力方路と、
伝送用入力方路と同数の伝送用出力方路と、
一つの接続用出力方路と、
二つの伝送用入力方路毎に設けられた、当該二つの伝送用入力方路と第１内部方路とを入力とし、各々異なる一つの伝送用出力方路を出力とする、２つの３入力１出力セレクタの組と、
前記複数の伝送用入力方路を入力とし、前記接続用出力方路を出力とするプロテクションセレクタと、
前記接続用入力方路と、前記接続用出力方路から分岐した第２内部方路とを入力とし、前記第１内部方路を出力とする内外部プロテクションセレクタとを備えたことを特徴とする選択器。
【請求項２】
請求項１記載の選択器を２段備えた選択装置であって、
第２段の選択器の前記接続用入力方路は、第１段の選択器の前記接続用出力方路に接続していることを特徴とする選択装置。
【請求項３】
請求項１記載の選択器であって、
前記プロテクションセレクタは、前記複数の伝送用入力方路に加え、前記接続用入力方路を入力とし、前記接続用出力方路を出力とすることを特徴とする選択器。
【請求項４】
請求項３記載の選択器を複数段備えた選択装置であって、
第２段から最終段までの各段の選択器の前記接続用入力方路は、前段の選択器の前記接続用出力方路に接続していることを特徴とする選択装置。
【請求項５】
請求項１または３記載の選択器であって、
少なくとも、各伝送用出力方路に対応して、当該出力方路に出力する情報に遅延を与える遅延手段を備えたことを特徴とする選択器。
【請求項６】
請求項２または４記載の選択装置であって、
各段の選択器は、少なくとも、各伝送用出力方路に対応して、当該出力方路に出力する情報に遅延を与える遅延手段を備えたことを特徴とする選択装置。
【発明の詳細な説明】
【０００１】
【発明の属する技術分野】
本発明は、冗長構成を持つ装置システム等において伝送路の切り替えを行う装置に関するものである。
【０００２】
【従来の技術】
現用系伝送路と予備系伝送路の切り替えを行う装置としては、たとえば、特開平４−２９００２５号公報に記載された「Ｎ／１冗長構成回路」などが知られている。この装置では、受信側に設けられる冗長系選択部と、送信側に設けられている冗長系分岐部は、各々別個のハードウエア構造となっている。
【０００３】
また、従来は、予備系伝送路数を１、現用系伝送路数をNとした１：Ｎ冗長系切替を、現用系伝送路の数に対して特化した構造の冗長系選択部、冗長系分岐部によって実現していた。ただし、１：Ｎ冗長系切替に特化した構造の冗長系選択部、冗長系分岐部において、一部の現用系伝送路を使用しないことによりＮ以下の現用系伝送路数に対応することは可能である。
【０００４】
【発明が解決しようとする課題】
前記特開平４−２９００２５号公報に記載された装置では、受信側の冗長系選択部用と送信側の冗長系分岐部用に、それぞれ異なるハードウエアを用意しなければならない。
【０００５】
また、特定の現用系伝送路数Nに特化された冗長系選択部、冗長系分岐部では、Ｎを越える現用系伝送路数に対応することができない。また、一部の現用系伝送路を使用しないことによりN未満の現用系伝送路数に対応する手法は、冗長系選択部、冗長系分岐部の使用効率を低下させる。
【０００６】
そこで、本発明は、単独もしくは複数の組み合わせによって、受信側の冗長系選択部および送信側の冗長系分岐部の双方を構成することのできる、基本部品を提供することを課題とする。
【０００７】
また、冗長系選択部、冗長系分岐部において、１：１冗長系切り替えから１：Ｎ冗長系切替まで、使用効率をあまり低下させることなく対応することを課題とする。
【０００８】
また、さらに、現用系伝送路数Ｎの増加に応じた拡張を、容易に行うことのできる構造を備えた冗長系選択部および冗長系分岐部を提供することを課題とする。
【０００９】
【課題を解決するための手段】
前記課題達成のために本発明は、
複数の伝送用入力方路と、一つの接続用入力方路と、伝送用入力方路と同数の伝送用出力方路と、一つの接続用出力方路と、
二つの伝送用入力方路毎に設けられた、当該二つの伝送用入力方路と第１内部方路とを入力とし、各々異なる一つの伝送用出力方路を出力とする、２つの３入力１出力セレクタの組と、
前記複数の伝送用入力方路を入力とし、前記接続用出力方路を出力とするプロテクションセレクタと、
前記接続用入力方路と、前記接続用出力方路から分岐した第２内部方路とを入力とし、前記第１内部方路を出力とする内外部プロテクションセレクタとを備えたことを特徴とする選択器を提供する。
【００１０】
このような構成の選択器によれば、たとえば、伝送用入力方路数が４であるとして説明すると、必要に応じて第１内部方路、第２内部方路を経由するパスを利用することにより、４つの伝送用入力方路のうちの任意の伝送用入力方路よりの情報を、４つの伝送用出力方路のうちの任意の伝送用出力方路に出力することができる。
【００１１】
このことは、２系統の１：１冗長系、１系統の１：２冗長系の選択部、分岐部を構成することができることを示している。この場合、１：１冗長系に使用する場合は、２系統として用いることができるので、その使用効率は低下しない。
【００１２】
また、さらに、このような選択器を２段、前段の選択器の接続用出力方路と、後段の選択器の接続用入力方路を接続することにより、必要に応じて両選択器の第１内部方路、第２内部方路を経由するパスを利用することにより、８つの伝送用入力方路のうちの任意の伝送用入力方路よりの情報を、８つの伝送用出力方路のうちの任意の伝送用出力方路に出力することができる。
【００１３】
このことは、これにより、４系統の１：１冗長系、２系統の１：２冗長系、１系統の１：３、１：４冗長系の選択部、分岐部を構成することができることを示している。そして、この場合も、１：Ｎ冗長系のＮの減少に伴い、系統を増加させることができるので、その使用効率の低下は少ない。
【００１４】
また、さらに、選択器のプロテクションセレクタを、前記複数の伝送用入力方路に加え、前記接続用入力方路を入力とし、前記接続用出力方路を出力とするように構成すれば、３段以上の選択器を、前段の選択器の接続用出力方路と、後段の選択器の接続用入力方路を接続することにより接続して用いることができる。
【００１５】
このようにすることにより、対応することができる１：Ｎ冗長系の構成（Ｎの種類）を増加することができる。もちろん、この場合も、その前述した２段の場合と同様の効果を奏する。
【００１６】
このように本発明に係る選択器を用いて、分岐部と選択部を共に構成することができるし、１：１冗長系切り替えから１：Ｎ冗長系切替まで、使用効率をあまり低下させることなく対応することができる。または、複数の選択器を順次接続することにより容易に、現用系伝送路数Ｎの増加に応じた拡張を行うことができる。
【００１７】
なお、各伝送路用出力方路毎に、全ての伝送用入力方路を入力とするセレクタを設ければ、同様の機能を達成できるが、このような構成は伝送路用出力方路数が固定されることになるし、伝送路用出力方路数の増加に伴い著しくハードウエア規模を増加させるので現実的ではない。
【００１８】
【発明の実施の形態】
以下、本発明の実施形態について説明する。
【００１９】
まず、本実施形態に係る選択装置を適用した情報システムの構成を図１に示す。
【００２０】
図中において、分岐部１０００と選択部２０００の間には、１または複数の現用系伝送路と１つの予備系伝送路が設けられる。分岐部１０００は、分岐部側の情報装置３０００から入力するデータを現用系伝送路を用いて選択部２０００に伝送する。選択部２０００は、現用系伝送路から受け取ったデータを、選択部側の情報装置４０００に送る。このような構成において、１つの現用系伝送路に障害が生じた場合、分岐部１０００は、障害が発生した現用系伝送路に代えて予備系伝送路を用いて情報を選択部２０００に伝送する。選択部２０００は、障害が生じた現用系伝送路に代えて予備系伝送路から受け取ったデータを選択部側の情報装置４０００に送る。
【００２１】
本実施形態では、このような分岐部と選択部を、図２に示す基本部品の組み合わせによって構成する。
【００２２】
図２の基本部品１００は、大きく５つの機能ブロックに分割できる。
【００２３】
第一の機能ブロックである冗長系セレクタ部１０１は、３入力１出力セレクタ１１１〜１１４を各出力方路１３１〜１３４に対応して備えている。３入力１出力セレクタ１１１、１１２は共通して入力方路１４１、１４２と、方路１４５とを入力としており、３入力１出力セレクタ１１３、１１４は共通して入力方路１４３、１４４と、方路１４５とを入力としている。
【００２４】
第二の機能ブロックは、プロテクション選択部１０２であり、２×２＋１＝５入力１出力セレクタであるプロテクションセレクタ１１５により、一つの出力方路１３５に対し、５本の任意の入力方路１４１〜１４５から所望の１つを選択し、出力する。又、この出力方路１３５は、基本部品１００から出力される前段で、２分岐し、基本部品１００の内部への分岐は、内部プロテクションパス１３７となり、外部への分岐は、外部プロテクション出力パス１３６となる。
【００２５】
第三の機能ブロックである内外部プロテクションセレクタ部１０３は、２入力１出力セレクタ１１６を出力方路１４５に対応して備えており、外部プロテクション入力パス１４６と、内部プロテクションパス１３７のうち何れか一方を選択し、出力方路１４５に出力する。この出力は、冗長系セレクタ部１０１の各３入力１出力セレクタの１入力となる。
【００２６】
第四の機能ブロックは、入力部１０４であり、入力方路１４１〜１４４と、外部プロテクション入力パス１４６との、合計５つの入力方路を有する。
【００２７】
第五の機能ブロックは、出力部１０５であり、３入力１出力セレクタによる選択後の出力１３１〜１３４と、外部プロテクション出力パス１３５である出力方路１３６の合計５つの出力方路を有する。
【００２８】
ここで、複数の基本部品１００を組み合わせて用いる場合、外部プロテクション出力パス１３６である出力方路１３５は、他の基本部品の外部プロテクション入力パス１４６に接続して用いる。
【００２９】
このような構成の基本部品１００において、３入力１出力セレクタ１１１〜１１４の各々から、入力方路１４１〜１４４、外部プロテクション入力パス１４６のうちの任意の一つの方路から入力したデータを出力することができる。すなわち、直接接続した入力方路からのデータは、３入力１出力セレクタ１１１〜１１４において、その方路を選択することにより出力することができ、直接接続していない外部プロテクション入力パス１４６からのデータは、２入力１出力セレクタ１１６において外部プロテクション入力パス１４６を選択し、３入力１出力セレクタ１１１〜１１４において、２入力１出力セレクタ１１６の出力方路１４５を選択することにより出力することができ、入力方路１４１〜１４４、外部プロテクション入力パス１４６のうち直接接続していない入力方路からのデータは、プロテクションセレクタ１１５で、その方路を選択し、２入力１出力セレクタ１１６でセレクタ１１５からの内部プロテクションパス１３７を選択し、３入力１出力セレクタ１１１〜１１４において、セレクタ１１６の出力方路１４５を選択することにより出力することができる。
【００３０】
以下、このような基本部品を組み合わせて構成した、選択部、分岐部について説明する。
【００３１】
まず、分岐部について説明する。
【００３２】
図３に、図２に示した基本部品を２個接続して構成した分岐部２００の構成を示す。
【００３３】
この構成は、１：１冗長系切り替えから１：４冗長系切り替えまでに対応する構成である。
【００３４】
図示するように、この構成は、基本部品２０２の外部プロテクション出力パス２８１を、もう一つの基本部品２０１の外部プロテクション入力パス２５５へ接続したものである。また、図中、２０５は、各セレクタの動作を制御する制御部であり、図示は省略したが各セレクタとの間の接続線を有し、当該接続線を介して、後述するようにセレクタの選択動作や、当該セレクタにおける遅延時間を制御する。
【００３５】
以下、１：１冗長系切り替えから１：４冗長系切り替えまでの、各切り替えの動作を説明する。
【００３６】
まず、１：１冗長系切替について説明する。この場合、図３に示す分岐部２００は、４系統の１：１冗長系の分岐部として機能する。
【００３７】
この場合、入力方路２５１、２５３、２５６、２５８が、各々、第１から第４までの４系統のデータの入力方路、すなわち、図１の情報装置３０００などからのデータの４系統の入力方路となる。入力方路２５２、２５４、２５７、２５９は使用されない。
【００３８】
また、第１系統の現用系伝送路は出力方路２３１、予備系伝送路は出力方路２３２となり、第２系統の現用系伝送路は出力方路２３３、予備系伝送路は出力方路２３４となり、第３系統の現用系伝送路は出力方路２４１、予備系伝送路は出力方路２４２となり、第４系統の現用系伝送路は出力方路２４３、予備系伝送路は出力方路２４４なる。
【００３９】
このような形態において、通常時には、各系統において、現用系伝送路に接続した３入力１出力セレクタ２１１／２１３／２２１／２２３が、各々、入力方路２５１／２５３／２５６／２５８を選択して出力する。また、現用系伝送路に障害などが生じた系統では、予備系伝送路に接続した３入力１出力セレクタ２１２／２１４／２２２／２２４が、入力方路２５１／２５３／２５６／２５８を選択して出力する。
【００４０】
これによって、入力方路２５１を出力方路２３１、２３２へ、入力方路２５３を出力方路２３３、２３４へ、入力方路２５６を出力方路２４１、２４２へ、入力方路２５８を出力方路２４３、２４４へ出力する合計４系統の１：１冗長系切替の分岐を実現することができる。
【００４１】
次に、１：２冗長系切替について説明する。この場合、図３に示す分岐部２００は、２系統の１：２冗長系の分岐部として機能する。
【００４２】
この場合、入力方路２５１、２５３が第１系統のデータの入力方路となり、入力方路２５６と２５８が第２系統の２つのデータの入力方路となる。また、第１系統の２つの現用系伝送路は出力方路２３１と２３３、予備系伝送路は出力方路２３２となり、第２系統の現用系伝送路は出力方路２４１と２４３、予備系伝送路は出力方路２４２となる。
【００４３】
このような形態において、通常時には、各系統において、現用系伝送路に接続した３入力１出力セレクタ２１１／２１３／２２１／２２３が、各々、入力方路２５１／２５３／２５６／２５８を選択して出力する。
【００４４】
一方、たとえば、第１系統において、現用系伝送路２３３に障害が生じた場合などには、次のようにして、予備系伝送路２３２に、現用系伝送路２３３に出力していた入力方路２５３からのデータを出力する。
【００４５】
すなわち、プロテクションセレクタ２１５は、入力方路２５３からの入力を選択し、出力方路２３５へ出力する。内外部プロテクションセレクタ２１６では内部プロテクションパス２７２からの入力を選択し、出力方路２３６へ出力する。そして、３入力１出力セレクタ２１２では、入力方路２３６を選択し、出力方路２３２へ出力する。
【００４６】
また、第１系統において、現用系伝送路２３１に障害が生じた場合などには、３入力１出力セレクタ２１２が入力方路２５１のデータを選択して出力することにより、予備系伝送路２３２に、現用系伝送路２３１に出力していた入力方路２５１からのデータを出力する。
【００４７】
これにより、第１系統の１：２冗長系切り替えが実現できることになる。
【００４８】
また、第２系統についても同様にして、１：２冗長系切り替えの分岐が実現できる。
【００４９】
なお、以上の説明より理解されるように図２の基本部品は単独で、２系統の１：１冗長系切り替え、１系統の１：２冗長系切り替えに対応する分岐部を構成することもできる。
【００５０】
次に、１：３冗長系切り替えについて説明する。
【００５１】
この場合、図３に示す分岐部２００は、１系統の１：３冗長系の分岐部として機能する。
【００５２】
この場合、入力方路２５１、２５３、２５６がデータの入力方路となる。また、３つの現用系伝送路は出力方路２３１と２３３と２４１、予備系伝送路は出力方路２３２となる。
【００５３】
このような形態において、通常時には、現用系伝送路に接続した３入力１出力セレクタ２１１／２１３／２２１が、各々、入力方路２５１／２５３／２５６を選択して出力する。
【００５４】
次に、障害の発生などにより現用系伝送路２３１、２３３のいずれかに代えて、予備系伝送路２３２を用いる場合には、前述した１：２冗長系切り替えの場合と同様にして入力方路２５１もしくは２５３よりのデータを出力方路２３２に出力する。
【００５５】
一方、現用系伝送路２４１に代えて、予備系伝送路２３２を用いる場合の動作は次のようになる。
【００５６】
すなわち、プロテクションセレクタ２２５は、入力方路２５６からの入力を選択し、出力方路２４５へ出力する。内外部プロテクションセレクタ２１６では外部プロテクション入力パス２５５からの入力を選択し、出力方路２３６へ出力する。そして、３入力１出力セレクタ２１２では、入力方路２３６を選択し、出力方路２３２へ出力する。
【００５７】
これにより、１：３冗長系切り替えの分岐が実現できる。
【００５８】
次に、１：４冗長系切り替えについて説明する。
【００５９】
この場合、この場合、図３に示す分岐部２００は、１系統の１：４冗長系の分岐部として機能する。
【００６０】
この場合、入力方路２５１、２５３、２５６、２５８がデータの入力方路となる。また、４つの現用系伝送路は出力方路２３１と２３３と２４１と２４３、予備系伝送路は出力方路２３２となる。
【００６１】
このような形態において、通常時には、現用系伝送路に接続した３入力１出力セレクタ２１１／２１３／２２１／２２３が、各々、入力方路２５１／２５３／２５６／２５８を選択して出力する。
【００６２】
次に、障害の発生などにより現用系伝送路２３１、２３３のいずれかに代えて、予備系伝送路２３２を用いる場合には、前述した１：２冗長系切り替えの場合と同様にして入力方路２５１もしくは２５３よりのデータを出力方路２３２に出力する。
【００６３】
一方、現用系伝送路２４１もしくは２４３に代えて、予備系伝送路２３２を用いる場合の動作は次のようになる。
【００６４】
すなわち、プロテクションセレクタ２２５は、現用系伝送路２４１に代えて予備系伝送路２３２を用いる場合には入力方路２５６を選択して出力方路２４５へ出力し、現用系伝送路２４３に代えて予備系伝送路２３２を用いる場合には入力方路２５８を選択して出力方路２４５へ出力する。内外部プロテクションセレクタ２１６では外部プロテクション入力パス２５５からの入力を選択し、出力方路２３６へ出力する。そして、３入力１出力セレクタ２１２では、入力方路２３６を選択し、出力方路２３２へ出力する。
【００６５】
これにより、１：４冗長系切り替えの分岐が実現できる。
【００６６】
以上、基本部品を組み合わせて構成した分岐部について説明した。
【００６７】
以下、選択部について説明する。
【００６８】
図４に、図２に示した基本部品を２個接続して構成した選択部３００の構成を示す。
【００６９】
この構成は、１：１冗長系切り替えから１：４冗長系切り替えまでに対応する構成である。
【００７０】
図示するように、この構成は、基本部品３０１の外部プロテクション出力パス３７１を、もう一つの基本部品３０２の外部プロテクション入力パス３６０へ接続した構成となっている。図より理解されるように、この構成は、２つの基本部品の接続関係に関し、図３に示した構成と同じである。すなわち、図４は、２つの基本部品の関係に関し、図３の二つの基本部品２０１、２０２の図上の上下を逆転させたものと一致する。また、図４中、３０５は、各セレクタの動作を制御する制御部であり、図示は省略したが各セレクタとの間の接続線を有し、当該接続線を介して、後述するようにセレクタの選択動作や、当該セレクタにおける遅延時間を制御する。
【００７１】
以下、１：１冗長系切り替えから１：４冗長系切り替えまでの、各切り替えの動作を説明する。
【００７２】
まず、１：１冗長系切替について説明する。
【００７３】
この場合、図４に示す選択部３００は、４系統の１：１冗長系の選択部として機能する。
【００７４】
この場合、入力方路３５１、３５３、３５６、３５８が、各々、第１から第４までの４系統の現用系伝送路となり、入力方路３５２、３５４、３５７、３５９が、各々、第１から第４までの４系統の予備系伝送路となる。
【００７５】
また、第１系統の出力、すなわち、たとえば図１の出力装置４０００への出力路は出力方路３３１、第２系統の出力は出力方路３３３、第３系統の出力は出力方路３４１、第４系統の出力は出力方路３４３となる。
【００７６】
このような形態において、通常時には、各系統において、３入力１出力セレクタ３１１／３１３／３２１／３２３が、各々、現用系伝送路である入力方路３５１／３５３／３５６／３５８を選択して出力する。また、現用系伝送路に障害などが生じた系統では、３入力１出力セレクタ３１１／３１３／３２１／３２３が、予備系伝送路である入力方路３５２／３５４／３５７／３５９を選択して出力する。
【００７７】
これによって、合計４系統の１：１冗長系切替の分岐を実現することができる。
【００７８】
次に、１：２冗長系切り替えについて説明する。
【００７９】
この場合、図４に示す選択部３００は、２系統の１：２冗長系の選択部として機能する。
【００８０】
この場合、入力方路３５１、３５３が第１系統の現用系伝送路となり、入力方路３５６と３５８が第２系統の現用系伝送路となる。第１系統の予備系伝送路は入力方路３５２、第２系統の予備系伝送路は入力方路３５７となる。また、第１系統の２つの出力路は出力方路３３１と３３３、第２系統の出力路は出力方路３４１と３４３となる。
【００８１】
このような形態において、通常時には、各系統において、３入力１出力セレクタ３１１／３１３／３２１／３２３が、各々、入力方路３５１／３５３／３５６／３５８を選択して出力する。
【００８２】
一方、たとえば、第１系統において、現用系伝送路３５１に障害が生じた場合などには、３入力１出力セレクタ３１１が、入力方路３５２を選択し、出力方路３３１へ出力することにより、予備系伝送路３５２からのデータを出力方路３３１に出力する。
【００８３】
一方、現用系伝送路３５３に障害が生じた場合などには、次のようにして、予備系伝送路３５２からのデータを出力方路３３３に出力する。
【００８４】
すなわち、プロテクションセレクタ３１５は、入力方路３５２からの入力を選択し、出力方路３３５へ出力する。内外部プロテクションセレクタ３１６では内部プロテクションパス３７２からの入力を選択し、出力方路３３６へ出力する。そして、３入力１出力セレクタ３１３では、入力方路３３６を選択し、出力方路３３３へ出力する。
【００８５】
これにより、第１系統の１：２冗長系切り替えが実現できることになる。
【００８６】
また、第２系統についても同様にして、１：２冗長系切り替えの選択が実現できる。
【００８７】
なお、以上の説明より理解されるように図２の基本部品は単独で、２系統の１：１冗長系切り替え、１系統の１：２冗長系切り替えに対応する選択部を構成することもできる。
【００８８】
次に、１：３冗長系切り替えについて説明する。
【００８９】
この場合、図４に示す選択部３００は、１系統の１：３冗長系の選択部として機能する。
【００９０】
この場合、入力方路３５１、３５３、３５６が現用系伝送路として使用され、入力方路３５２が予備系伝送路として使用される。また、出力方路３３１、３３３、３４１が出力路として使用される。
【００９１】
このような形態において、通常時には、現用系伝送路に接続した３入力１出力セレクタ３１１／３１３／３２１が、各々、入力方路３５１／３５３／３５６を選択して出力する。
【００９２】
次に、障害の発生などにより現用系伝送路３５１、３５３のいずれかに代えて、予備系伝送路３５２を用いる場合には、前述した１：２冗長系切り替えの場合と同様にして入力方路３５２よりのデータを出力方路３３１もしくは３３３に出力する。
【００９３】
一方、現用系伝送路３５６に代えて、予備系伝送路３５２を用いる場合の動作は次のようになる。
【００９４】
すなわち、プロテクションセレクタ３１５は、入力方路３５２からの入力を選択し、出力方路３３５へ出力する。内外部プロテクションセレクタ３２６では外部プロテクション入力パス３６０からの入力を選択し、出力方路３４６へ出力する。そして、３入力１出力セレクタ３２１では、入力方路３４６を選択し、出力方路３４１へ出力する。
【００９５】
これにより、１：３冗長系切り替えが実現できる。
【００９６】
次に、１：４冗長切り替えについて説明する。
【００９７】
この場合、入力方路３５１、３５３、３５６、３５８が現用系伝送路として使用され、入力方路３５２が予備系伝送路として使用される。また、出力方路３３１、３３３、３４１、３４３が出力路として使用される。
【００９８】
このような形態において、通常時には、現用系伝送路に接続した３入力１出力セレクタ３１１／３１３／３２１／３２３が、各々、入力方路３５１／３５３／３５６／３５８を選択して出力する。
【００９９】
次に、障害の発生などにより現用系伝送路３５１、３５３のいずれかに代えて、予備系伝送路３５２を用いる場合には、前述した１：２冗長系切り替えの場合と同様にして入力方路３５２よりのデータを出力方路３３１もしくは３３３に出力する。
【０１００】
一方、現用系伝送路３５６もしくは現用系伝送路３５８のいずれかに代えて、予備系伝送路３５２を用いる場合の動作は次のようになる。
【０１０１】
すなわち、プロテクションセレクタ３１５は、入力方路３５２からの入力を選択し、出力方路３３５へ出力する。内外部プロテクションセレクタ３２６では外部プロテクション入力パス３６０からの入力を選択し、出力方路３４６へ出力する。そして、現用系伝送路３５６に代えて、予備系伝送路３５２を用いる場合は、３入力１出力セレクタ３２１が、入力方路３４６を選択し、出力方路３４１へ出力する。また、現用系伝送路３５８に代えて、予備系伝送路３５２を用いる場合は、３入力１出力セレクタ３２３が、入力方路３４６を選択し、出力方路３４３へ出力する。
【０１０２】
これで、１：４冗長系切り替えが実現される。
【０１０３】
以上、図２の基本部品を用いた分岐部、選択部について説明した。
【０１０４】
以下では、冗長系セレクタ部１０１の各３入力１出力セレクタの内部構成について説明する。
【０１０５】
図５に、各３入力１出力セレクタの構成を示す。
【０１０６】
図中の、３入力１出力セレクタ４００は、３つの入力方路４２１〜４２３から、いずれか１つを選択し、出力方路４３１へ出力する。また、各入力方路対応に、３つの一時記憶４０１〜４０３と、３つの一時記憶の何れかよりデータの読み出しを行い、出力４３１へ出力する読出制御部４１１と、読み出し制御部の制御情報を記憶する読出制御情報記憶４１２を備えている。
【０１０７】
読出制御情報記憶４１２に、制御部２０５または３０５から、入力方路４２１からの読み出しを指示するデータや読み出しタイミングのデータが設定されると、読み出し制御部４１１は、これに従い、一時記憶４０１のデータを読み出し、出力方路４３１へ出力する。
【０１０８】
ここで、一時記憶４０１にデータを記憶してから読み出すまでの時間を制御することにより、入力方路より出力方路までの遅延時間を制御することができる。
【０１０９】
したがって、予備系伝送路を使用する場合に、各３入力１出力セレクタの読出制御情報記憶４１２に各々適当なデータを設定し、図３の分岐部、図４の選択部においてプロテクションセレクタ、内外部プロテクションセレクタを経由することによるデータの遅延分、プロテクションセレクタ、内外部プロテクションセレクタを経由しないデータを出力する３入力１出力セレクタにおける遅延を大きくすることにより、分岐部、選択部から出力される各データの遅延を、予備系伝送路使用時にも一致させることができる。
【０１１０】
また、図６に示すように、少なくとも３以上の入力１出力セレクタ５１１〜５１４の後段、及びプロテクションセレクタ５１５の後段に位相吸収用バッファ５５１〜５５５を追加するようにしても、分岐部、選択部から出力される各データの選択装置基本部品を直列につないだ場合に、前段と後段から出力されるデータの遅延を、予備系伝送路使用時にも一致させることができる。
【０１１１】
たとえば、図５の３入力１出力セレクタを用いる場合について説明すると次のようにして出力データの位相を一致させることができる。
【０１１２】
いま、図４の選択部の構成において、入力方路３５１〜３５４、３５６〜３５９の入力データの先頭位置は図７に示すように全て同一位相６１１であるとし、各基本部品３０１、３０２各々を一段通過あたり、固定的なデータの遅延が、データ速度と同期したクロック６０１のクロック数換算で、ｍクロック分生じるとする。
【０１１３】
この場合、入力の位相６１１の絶対時間軸６０２上での位置をφ０とする。また、入力方路のデータがプロテクションセレクタ、内外部プロテクションセレクタを経由して３入力１出力セレクタに入力するまでに要する時間がｍクロック分であるとすると、この位相の位置がφ０＋ｍとなる（６３１）。
【０１１４】
この場合、たとえば、プロテクションセレクタ、内外部プロテクションセレクタを経由したデータを出力する３入力１出力セレクタでは、一時記憶を用いてｍクロック分データに遅延を与えてデータを出力し（６２２）、入力方路から直接受け取ったデータを出力する３入力１出力セレクタでは、一時記憶を用いて２ｍクロック分データに遅延を与えてデータを出力する（６２１）ようにすれば、両者とも出力の位相はφ０＋２ｍとなり、一致する事になる。ここで、内外部セレクタを経由したデータを出力する３入力１出力セレクタで与える遅延ｍクロックは、３入力１出力セレクタで要する最小遅延となることが好ましい。
【０１１５】
以上、本発明の一実施形態について説明した。
【０１１６】
なお、以上の実施形態においては、図２の冗長系セレクタ部１０１は、２つの入力方路に対応した２つの３入力１出力セレクタを２組備えるものとしたが、これは、３組以上であってもよい。また、さらに、図３の分岐部、図４の選択部を、３以上の基本部品を、順次、前段のプロテクションセレクタの出力を、次段の内外部セレクタ、プロテクションセレクタの入力に接続することにより構成するようにしてもよい。３以上の基本部品を用いる場合の動作は前述した２つの基本部品を用いた場合とほぼ同様であるが、予備系伝送路と予備系伝送路に切り替える現用系伝送路が異なる基本部品に収容されている場合において、予備系伝送路への切り替え時に、予備系伝送路も予備系伝送路に切り替える現用系伝送路も収容していない基本部品のプロテクションセレクタは、前段のプロテクションセレクタの出力をそのまま次段の基本部品に中継する動作を行う。
【０１１７】
いずれの場合も、これにより、さらに現用系伝送路を増加した冗長系に対応することができるようになる。
【０１１８】
また、図２の冗長系セレクタ部１０１を、２つの入力方路に対応した２つの３入力１出力セレクタの組を一組備えるものとし、図３の分岐部、図４の選択部を、３以上の基本部品を、順次、前段のプロテクションセレクタの出力を、次段の内外部セレクタ、プロテクションセレクタの入力に接続することにより構成するようにしてもよい。この場合、一つの基本部品では、１：１冗長系切り替えにしか対応することができないが、複数の基本部品を前述のように接続することにより、複数の現用系伝送路を用いる冗長系切り替えにも対応することができる。
【０１１９】
また、以上の実施形態においては、分岐部１０００は、現用系伝送路に障害が生じた場合に、障害が発生した現用系伝送路に代えて予備系伝送路に情報を出力したが、現用系伝送路に障害が生じていない場合にも、予備系伝送路に、目的に応じて適当な入力方路から入力した情報を出力し、選択部２０００に伝達するようにしてもよい。たとえば、１：１冗長系切り替えの場合に、現用系伝送路に障害が生じていないときにも、予備系伝送路に現用系伝送路と同じ情報を出力しておくようにすれば、現用系伝送路に障害が生じた時には、選択部２０００のみが、入力方路を切り替えるのみで、現用系伝送路から予備系伝送路への使用伝送路の切り替えを実現することができる。
【０１２０】
【発明の効果】
以上のように本発明によれば、単独もしくは複数の組み合わせによって、受信側の冗長系選択部および送信側の冗長系分岐部の双方を構成することのできる、基本部品を提供することができる。
【０１２１】
また、冗長系選択部、冗長系分岐部において、１：１冗長系切り替えから１：Ｎ冗長系切替まで、使用効率をあまり低下させることなく対応することができる。
【０１２２】
また、さらに、現用系伝送路数Ｎの増加に応じた拡張を、容易に行うことのできる構造を備えた冗長系選択部および冗長系分岐部を提供することができる。
【図面の簡単な説明】
【図１】情報システムの構成を示したブロック図である。
【図２】基本部品の構成を示すブロック図である。
【図３】分岐部の構成を示すブロック図である。
【図４】選択部の構成を示すブロック図である。
【図５】３入力１出力セレクタの構成を示すブロック図である。
【図６】遅延制御のための他の構成を示したブロック図である。
【図７】遅延制御のタイミングを示したタイミングチャートである。
【符号の説明】
１００  基本部品
１０１  冗長系セレクタ部
１０２  プロテクション選択部
１０３  内外部プロテクションパス選択部
１０４  入力部
１０５  出力部
１１１〜１１４  ３入力１出力セレクタ
１１５  プロテクションセレクタ
１１６  内外部プロテクションセレクタ
１３１〜１３５、１４５  出力方路
１３６  外部プロテクション出力パス
１３７  内部プロテクションパス
１４１〜１４４、１４６  入力方路
２００  選択部
２０１〜２０２  基本部品
２１１〜２１４、２２１〜２２４  ３入力１出力セレクタ
２１５、２２５  プロテクションセレクタ
２１６、２２６  内外部プロテクションセレクタ
２３１〜２３４、２３６、２４６、２４１〜２４４  出力方路
２３５、２４５  プロテクションパス出力方路
２５５、２６０  外部プロテクション入力パス
２７１、２８１  外部プロテクション出力パス
２７２、２８２  内部プロテクションパス
３００  分岐部
３０１〜３０２  基本部品
３１１〜３１４、３２１〜３２４  ３入力１出力セレクタ
３１５、３２５  プロテクションセレクタ
３１６、３２６  内外部プロテクションセレクタ
３３１〜３３４、３３６、３４６、３４１〜３４４  出力方路
３３５、３４５  プロテクションパス出力方路
３５５、３６０  外部プロテクション入力パス
３７１、３８１  外部プロテクション出力パス
３７２、３８２  内部プロテクションパス
【図１】
0003758820.tif 000002
【図２】
0003758820.tif 000003
【図３】
0003758820.tif 000004
【図４】
0003758820.tif 000005
【図５】
0003758820.tif 000006
【図６】
0003758820.tif 000007
【図７】
0003758820.tif 000008